(57)【要約】【課題】使い勝手を高めること。【解決手段】洗濯機は、複数の運転コースのそれぞれを使用者に示唆する複数のコース図柄の集合体からなるコース図柄群が表示される表示器と、表示器にコース図柄群を表示する表示手段と、使用者が表示器のコース図柄群のうちからコース図柄を指定するための操作子と、操作子で指定されたコース図柄に応じた運転コースを実行する運転手段を備えたものであり、表示手段は表示器のコース図柄群そのものの表示態様を運転手段による複数の運転コースの運転履歴に応じて変化させる。【選択図】図２
2014150999.tif 000002
【特許請求の範囲】
【請求項１】
相互に異なる内容で運転を行うための複数の運転コースを有するものにおいて、
複数の運転コースのそれぞれを使用者に示唆する複数のコース図柄の集合体からなるコース図柄群が表示される表示器と、
前記表示器にコース図柄群を表示する表示手段と、
使用者が操作可能なものであって、前記表示器のコース図柄群のうちからコース図柄を指定するための操作子と、
前記操作子で指定されたコース図柄に応じた運転コースを実行する運転手段を備え、
前記表示手段は、前記表示器のコース図柄群そのものの表示態様を前記運転手段による複数の運転コースの運転履歴に応じて変化させることを特徴とする洗濯機。
【請求項２】
前記表示手段は、前記表示器に複数のコース図柄を一方向に並べて表示するものであって当該複数のコース図柄の表示順序を前記運転履歴に応じて変化させることを特徴とする請求項１に記載の洗濯機。
【請求項３】
前記表示手段は、前記表示器の複数のコース図柄のそれぞれのサイズを前記運転履歴に応じて変化させることを特徴とする請求項１および２のいずれかに記載の洗濯機。
【請求項４】
前記操作子は、使用者が手指で触れることが可能なタッチパネルから構成されていることを特徴とする請求項１から３のいずれかに記載の洗濯機。
【請求項５】
前記表示手段は、前記表示器のコース図柄群そのものの表示態様を複数の運転コースの日別の運転履歴に応じて変化させることを特徴とする請求項１から４のいずれかに記載の洗濯機。
【請求項６】
前記表示手段は、前記表示器のコース図柄群そのものの表示態様を複数の運転コースの時間帯別の運転履歴に応じて変化させることを特徴とする請求項１から４のいずれかに記載の洗濯機。
【請求項７】
前記表示手段は、前記表示器の複数のコース図柄のうち使用頻度が最高の運転コースに応じたものを決められた位置に表示することを特徴とする請求項１から６のいずれかに記載の洗濯機。
【請求項８】
運転開始時刻または運転終了時刻を使用者に報知する予約時刻が表示される表示器と、
前記表示器に予約時刻を表示する表示手段と、
使用者が操作可能なものであって、前記表示器の予約時刻を変更するための操作子と、
前記表示器の予約時刻で運転を開始または終了する予約運転を行う運転手段を備え、
前記表示手段は、前記表示器の予約時刻を前記運転手段による予約運転の運転履歴に応じて変化させることを特徴とする洗濯機。
【請求項９】
前記表示手段は、前記表示器の予約時刻を日別の予約運転の運転履歴に応じて変化させることを特徴とする請求項８に記載の洗濯機。
【請求項１０】
前記表示手段は、前記表示器の予約時刻を時間帯別の予約運転の運転履歴に応じて変化させることを特徴とする請求項８および９のいずれかに記載の洗濯機。
【発明の詳細な説明】
【技術分野】
【０００１】
実施例は洗濯機に関する。
【背景技術】
【０００２】
洗濯機には複数の運転コースを備えたものがある。これら複数の運転コースのそれぞれは衣類を相互に異なる内容で洗濯等するものであり、複数の運転コースのそれぞれにはコース図柄が設定されている。これら複数のコース図柄のそれぞれは運転コースを使用者に知らせる文字等からなるものであり、表示器の予め決められた一定位置に表示される。
【先行技術文献】
【特許文献】
【０００３】
【特許文献１】特開２００８−７９９５１号公報
【発明の概要】
【発明が解決しようとする課題】
【０００４】
特許文献１には使用者がダイアルを回転操作することで表示器の複数のコース図柄のうちから１つを選択することが記載されている。この特許文献１はダイアルの回転操作が進行することに応じて予め決められた最初のコース図柄から予め決められた最終のコース図柄に向けて一定順序でコース図柄の選択結果を変更するものであり、例えば使用者の好みのコース図柄が最終のコース図柄に近い場合にはダイアルの操作量が大となる。
【課題を解決するための手段】
【０００５】
実施例の洗濯機は、相互に異なる内容で運転を行うための複数の運転コースを有するものにおいて、複数の運転コースのそれぞれを使用者に示唆する複数のコース図柄の集合体からなるコース図柄群が表示される表示器と、前記表示器にコース図柄群を表示する表示手段と、使用者が操作可能なものであって前記表示器のコース図柄群のうちからコース図柄を指定するための操作子と、前記操作子で指定されたコース図柄に応じた運転コースを実行する運転手段を備え、前記表示手段は前記表示器のコース図柄群そのものの表示態様を前記運転手段による複数の運転コースの運転履歴に応じて変化させるところに特徴を有する。
【図面の簡単な説明】
【０００６】
【図１】実施例１を示す図（洗濯機の内部構成を示す図）
【図２】操作パネルを示す図
【図３】実施例２を示す図（制御回路の洗濯スイッチ処理を示す図）
【図４】実施例３を示す図３相当図
【図５】実施例４を示す図２相当図
【図６】実施例５を示す図（制御回路の予約スイッチ処理を示す図）
【図７】実施例６を示す図６相当図
【図８】実施例７を示す図２相当図
【発明を実施するための形態】
【実施例１】
【０００７】
図１の外箱１は中空状をなすものであり、外箱１内には水受槽２が固定されている。この水受槽２は前面が開口する円筒状をなすものであり、円形状の後板を有している。この水受槽２は衣類を洗濯するための水を受けるものであり、軸心線が前から後に向けて下降する傾斜状態に配置されている。この水受槽２の後板には洗濯モータ３が固定されており、洗濯モータ３の回転軸は水受槽２内に突出している。
【０００８】
洗濯モータ３の回転軸には、図１に示すように、水受槽２内に位置してドラム４が固定されており、洗濯モータ３の運転状態ではドラム４が洗濯モータ３の回転軸と一体的に回転する。このドラム４は前面が開口する円筒状をなすものであり、円形状の後板を有している。このドラム４は衣類が投入されるものであり、水受槽２に対して同心状に配置されている。このドラム４には複数の貫通孔５が形成されており、ドラム４内は複数の貫通孔５のそれぞれを通して水受槽２内に連通されている。
【０００９】
外箱１内には、図１に示すように、給水弁６が固定されている。この給水弁６の入口は水道の蛇口に接続されており、給水弁６の出口は給水ホースを介して水受槽２に接続されている。この水受槽２には風呂水ホースを介して風呂水ポンプが接続されている。この風呂水ポンプは浴槽から水を汲み出すものであり、風呂水ポンプの運転状態では浴槽から水受槽２内に風呂水が注入され、給水弁６の開放状態では水道の蛇口から給水弁６を通して水受槽２内に水道水が注入される。この水受槽２には排水管７の上端部が接続されており、排水管７には排水弁８が介在されている。この排水弁８は開放状態および閉鎖状態相互間で電気的に操作されるものであり、排水弁８の開放状態では水受槽２内の水が排水管７を通して排出される。
【００１０】
外箱１の前板には、図１に示すように、出入口９が形成されており、ドラム４内に対しては出入口９と水受槽２の前面とドラム４の前面を通して衣類が出し入れされる。この外箱１の前板には扉１０が装着されている。この扉１０は閉鎖状態および開放状態相互間で使用者が操作可能なものであり、出入口９は扉１０の開放状態でドラム４内に対して衣類を出し入れすることが可能に開放される。
【００１１】
外箱１内には、図１に示すように、水受槽２の上方に位置してファンケーシング１１が固定されている。このファンケーシング１１は入口および出口を有するものであり、ファンケーシング１１の入口は入口側ダクト１２を介して水受槽２に接続され、ファンケーシング１１の出口は出口側ダクト１３を介して水受槽２に接続されている。このファンケーシング１１内にはファン１４が収納されている。このファン１４はファンモータ１５の回転軸に連結されたものであり、ファンモータ１５の運転状態ではファン１４が回転することで水受槽２内から入口側ダクト１２とファンケーシング１１と出口側ダクト１３を順に通って水受槽２内に戻る循環風を生成する。入口側ダクト１２は給水弁６から水道水が注入されるものであり、循環風は入口側ダクト１２内で水道水に接触することに応じて冷却されることで除湿される。出口側ダクト１３はヒータ１６が収納されたものであり、ヒータ１６は除湿された循環風を加熱することでドラム４内の衣類を乾かすための温風を生成する。
【００１２】
外箱１の前板には、図１に示すように、扉１０の上方に位置して操作パネル１７が固定されており、外箱１内には操作パネル１７の後方に位置して制御回路１８が収納されている。この制御回路１８はＣＰＵとＲＯＭとＲＡＭとＥＥＰＲＯＭを有するものであり、洗濯モータ３と給水弁６と風呂水ポンプと排水弁８とファンモータ１５とヒータ１６のそれぞれを電気的に制御する。この制御回路１８は計時機能を有するものであり、年月日と曜日と時刻を計測する。この制御回路１８は表示手段および運転手段に相当する。
【００１３】
操作パネル１７には、図２に示すように、入スイッチ１９および切スイッチ２０が装着されている。これら入スイッチ１９および切スイッチ２０のそれぞれは使用者が操作可能なものであり、入スイッチ１９が操作された場合には主電源が投入され、切スイッチ２０が操作された場合には主電源が遮断される。この操作パネル１７には表示器２１が固定されている。この表示器２１は使用者が視認可能なカラー液晶表示器からなるものであり、制御回路１８は表示器２１の表示内容を電気的に制御する。
【００１４】
操作パネル１７には、図２に示すように、表示器２１の下方に位置して洗いスイッチ２２とすすぎスイッチ２３と脱水スイッチ２４と乾燥スイッチ２５とふろ水スイッチ２６が装着されている。これら洗いスイッチ２２〜ふろ水スイッチ２６のそれぞれは使用者が操作可能なものであり、制御回路１８は洗いスイッチ２２の操作内容に応じて洗い工程の運転内容を設定し、すすぎスイッチ２３の操作内容に応じてすすぎ工程の運転内容を設定し、脱水スイッチ２４の操作内容に応じて脱水工程の運転内容を設定し、乾燥スイッチ２５の操作内容に応じて乾燥工程の運転内容を設定し、ふろ水スイッチ２６の操作内容に応じて風呂水ポンプの使用態様を設定する。
【００１５】
操作パネル１７には、図２に示すように、表示器２１の右方に位置して洗乾スイッチ２７が装着されている。この洗乾スイッチ２７は使用者が操作可能なものであり、制御回路１８は運転停止状態で洗乾スイッチ２７が操作された場合に複数の洗乾コース名を表示器２１の右端部の縦長なセレクト領域２８内に上下方向に１列に表示する。これら複数の洗乾コース名のそれぞれは使用者に洗乾コースの名称を知らせるものであり、洗乾スイッチ２７が操作された場合には最上段の洗乾コース名に応じた洗乾コースが初期設定される。これら複数の洗乾コースのそれぞれは洗い工程とすすぎ工程と脱水工程と乾燥工程からなるものであり、相互に異なる運転内容に設定されている。
【００１６】
操作パネル１７には、図２に示すように、洗乾スイッチ２７の下方に位置して乾燥スイッチ２９が装着されている。この乾燥スイッチ２９は使用者が操作可能なものであり、制御回路１８は運転停止状態で乾燥スイッチ２９が操作された場合に複数の乾燥コース名を表示器２１のセレクト領域２８内に上下方向に１列に表示する。これら複数の乾燥コース名のそれぞれは使用者に乾燥コースの名称を知らせるものであり、乾燥スイッチ２９が操作された場合には最上段の乾燥コース名に応じた乾燥コースが初期設定される。これら複数の乾燥コースのそれぞれは乾燥工程のみからなるものであり、相互に異なる運転内容に設定されている。
【００１７】
操作パネル１７には、図２に示すように、表示器２１のセレクト領域２８の下方に位置してコーススイッチ３０が装着されている。このコーススイッチ３０は使用者が操作可能なものであり、制御回路１８はセレクト領域２８内に複数の洗乾コース名を表示している場合にはコーススイッチ３０の操作毎に洗乾コースの設定結果を変更し、セレクト領域２８内に複数の乾燥コース名を表示している場合にはコーススイッチ３０の操作毎に乾燥コースの設定結果を変更する。このコーススイッチ３０は操作子に相当する。
【００１８】
操作パネル１７には、図２に示すように、入スイッチ１９および切スイッチ２０の下方に位置してスタートスイッチ３１が装着されている。このスタートスイッチ３１は使用者が操作可能なものであり、制御回路１８は表示器２１に複数の洗乾コース名を表示している状態ではスタートスイッチ３１が操作されることで洗乾コースの設定結果で運転を開始し、表示器２１に複数の乾燥コース名を表示している状態ではスタートスイッチ３１が操作されることで乾燥コースの設定結果で運転を開始する。
【００１９】
操作パネル１７には、図２に示すように、洗乾スイッチ２７の上方に位置して洗濯スイッチ３２が装着されている。この洗濯スイッチ３２は使用者が操作可能なものであり、制御回路１８は運転停止状態で洗濯スイッチ３２が操作された場合にＲＯＭに予め記録された画像データを再生することで表示器２１のセレクト領域２８内に（標準）と（スピーディ）と（念入り）と（ドライ）と（毛布）の５つの洗濯コース名を表示する。これら５つの洗濯コース名のそれぞれは使用者に洗濯コースの名称を知らせるものであり、相互に同一の文字サイズで表示される。これら５つの洗濯コースのそれぞれは洗い工程とすすぎ工程と脱水工程からなるものであり、相互に異なる運転内容に設定されている。これら５つの洗濯コース名のそれぞれはコース図柄に相当するものであり、５つの洗濯コース名の集合体はコース図柄群に相当する。
【００２０】
５つの洗濯コース名のそれぞれには表示順序１〜５のうちの１つが設定されており、制御回路１８は表示順序１の洗濯コース名をセレクト領域２８内の先頭位置に表示する。この先頭位置はセレクト領域２８内の上端部に設定された一定位置を称するものであり、制御回路１８は表示順序２から表示順序５の洗濯コース名を表示順序１の洗濯コース名の下方に上から下に向けて順に１列で表示する。この制御回路１８は洗濯スイッチ３２が操作された場合に最上段の表示順序１の洗濯コース名に応じた洗濯コースを初期設定するものであり、最上段の洗濯コース名を横長な枠の絵柄で囲うことで洗濯コースの初期の設定結果を使用者に報知する。
【００２１】
制御回路１８は５つの洗濯コース名を表示している状態ではコーススイッチ３０の操作毎に洗濯コースの設定結果を（表示順序１の洗濯コース名に応じた洗濯コース）から（表示順序２の洗濯コース名に応じた洗濯コース）→（表示順序３の洗濯コース名に応じた洗濯コース）→（表示順序４の洗濯コース名に応じた洗濯コース）→（表示順序５の洗濯コース名に応じた洗濯コース）→（表示順序１の洗濯コース名に応じた洗濯コース）・・・の一定順序で循環的に変更するものであり、洗濯コースの設定結果を変更する毎に枠の絵柄を洗濯コースの変更結果に応じた洗濯コース名を囲う位置に移動表示する。即ち、枠の絵柄はコーススイッチ３０の操作毎に１段ずつ下へ移動するものであり、最下段に到達した場合には最上段に復帰する。
【００２２】
制御回路１８は５つの洗濯コース名を表示している状態ではスタートスイッチ３１が操作されることで洗濯コースの設定結果で運転を開始するものであり、洗濯コースを開始した場合にはＥＥＰＲＯＭに洗濯コースの設定結果を記録する。このＥＥＰＯＭの洗濯コースの設定結果を使用履歴と称し、使用履歴は複数の運転コースの運転履歴に相当する。
【００２３】
制御回路１８は洗濯スイッチ３２が操作された場合にＥＥＰＲＯＭに洗濯コースの設定結果が記録されているか否かを判断するものであり、ＥＥＰＲＯＭに洗濯コースの設定結果が記録されていないと判断した場合には５つの洗濯コース名のそれぞれに初期の表示順序を設定する。この表示順序はＲＯＭに予め記録されたものであり、図２の（ａ）に示すように、洗濯コース名（標準）には表示順序１が設定され、洗濯コース名（スピーディ）には表示順序２が設定され、洗濯コース名（念入り）には表示順序３が設定され、洗濯コース名（ドライ）には表示順序４が設定され、洗濯コース名（毛布）には表示順序５が設定される。
【００２４】
制御回路１８はＥＥＰＲＯＭに洗濯コースの設定結果が記録されていると判断すると、５つの洗濯コース名のそれぞれにＥＥＰＲＯＭの使用履歴に応じて表示順序を設定する。この制御回路１８はＥＥＰＲＯＭに最も数多く記録されている洗濯コースの設定結果に応じた１つの洗濯コース名に表示順序１を設定し、２番目に数多く記録されている洗濯コースの設定結果に応じた１つの洗濯コース名に表示順序２を設定するものであり、３番目に数多く記録されている洗濯コースの設定結果に応じた１つの洗濯コース名に表示順序３を設定し、４番目に数多く記録されている洗濯コースの設定結果に応じた１つの洗濯コース名に表示順序４を設定し、最も数少なく記録されている洗濯コースの設定結果に応じた１つの洗濯コース名に表示順序５を設定する。
【００２５】
制御回路１８はＥＥＰＲＯＭに記録個数が相互に同一の２種類以上の洗濯コースの設定結果が記録されている場合には当該２種類以上の洗濯コースの設定結果に応じた洗濯コース名に対して初期の表示順序の順に表示順序を設定する。例えば洗濯コース（念入り）の記録個数が最多で洗濯コース（スピーディ）の記録個数が最少で洗濯コース（標準）と洗濯コース（ドライ）と洗濯コース（毛布）の記録個数が同数の場合には、図２の（ｂ）に示すように、洗濯コース（念入り）に応じた洗濯コース名（念入り）に表示順序１が設定され、洗濯コース（スピーディ）に応じた洗濯コース名（スピーディ）に表示順序５が設定され、洗濯コース（標準）に応じた洗濯コース名（標準）と洗濯コース（ドライ）に応じた洗濯コース名（ドライ）と洗濯コース（毛布）に応じた洗濯コース名（毛布）に初期の表示順序の順に表示順序が設定される。これら洗濯コース名（標準）（ドライ）（毛布）の初期の表示順序は順に（１）（４）（５）であり、洗濯コース名（標準）には残りの表示順序２〜４のうちから表示順序２が設定され、洗濯コース名（ドライ）には表示順序３が設定され、洗濯コース名（毛布）には表示順序４が設定される。
【００２６】
制御回路１８は５つの洗濯コース名のそれぞれに表示順序を設定すると、表示器２１のセレクト領域２８内に５つの洗濯コース名を表示する。この５つの洗濯コース名のうち表示順序１の洗濯コース名はセレクト領域２８内の先頭位置に表示され、残りの表示順序２〜５のそれぞれの洗濯コース名は表示順序１の洗濯コース名の下方に上から下へ表示順序の設定結果の順に縦１列に表示されるものであり、制御回路１８は表示順序１の洗濯コース名を枠の絵柄で囲う。即ち、使用者が５つの洗濯コースを一度も実行していない場合には表示器２１のセレクト領域２８内に５つの洗濯コース名が初期の表示順序で上から下へ縦１列に表示され、使用者が５つの洗濯コースのうちの１以上を実行した場合には表示器２１のセレクト領域２８内に５つの洗濯コース名が使用頻度の高さの順に上から下へ縦１列に表示される。
【００２７】
操作パネル１７には、図２に示すように、予約スイッチ３３が装着されている。この予約スイッチ３３は使用者が操作可能なものであり、制御回路１８は洗濯コースまたは洗乾コースまたは乾燥コースの設定状態で予約スイッチ３３が操作された場合にＲＯＭから初期の運転終了時刻を検出する。この初期の運転終了時刻はＲＯＭに予め記録されたものであり、制御回路１８は初期の運転終了時刻を検出した場合には表示器２１に初期の運転終了時刻を表示する。この運転終了時刻は予約時刻に相当する。
【００２８】
操作パネル１７には、図２に示すように、ダイアル３４が装着されている。このダイアル３４は前方から見てスタートスイッチ３１を囲う円環状をなす回転可能なものであり、制御回路１８は運転終了時刻の表示状態でダイアル３４が時計回り方向へ回転操作された場合にダイアル３４の同方向への操作量に応じて運転終了時刻を遅い時刻に変更する。このダイアル３４は操作子に相当するものであり、制御回路１８はダイアル３４が反時計回り方向へ回転操作された場合にダイアル３４の同方向への操作量に応じて運転終了時刻を早い時刻に変更する。この運転終了時刻は洗濯コースまたは洗乾コースまたは乾燥コースの終了時刻を使用者に報知するものであり、制御回路１８は運転終了時刻の表示状態でスタートスイッチ３１が操作された場合に運転開始時刻を演算する。この運転開始時刻は表示器２１の運転終了時刻で運転が終了するように演算されるものであり、制御回路１８は運転開始時刻に到達した場合に洗濯コースまたは洗乾コースまたは乾燥コースの設定結果で運転を開始する。
【００２９】
上記実施例１によれば次の効果を奏する。
表示器２１の５つの洗濯コース名そのものの表示態様をＥＥＰＲＯＭの使用履歴に応じて変化させたので、表示器２１の５つの洗濯コース名が使用者の５つの洗濯コースの使用状況に応じた表示態様となる。従って、使用者がコーススイッチ３０を操作することで表示器２１の５つの洗濯コース名のうちから１つを選択する操作が簡単になるので、使い勝手が向上する。
【００３０】
表示器２１の５つの洗濯コース名の表示順序をＥＥＰＲＯＭの使用履歴に応じて変化させることで使用頻度が高いものから低いものに向けて順に並べたので、表示器２１に５つの洗濯コース名が表示された時点で使用頻度が最高の洗濯コース名が枠の絵柄で囲われた選択状態となる。従って、使用者がコーススイッチ３０を操作することで洗濯コース名を変更する機会が減るので、この点からも使い勝手が向上する。
【００３１】
表示器２１の５つの洗濯コース名のうち使用頻度が最高の洗濯コースに応じたものをセレクト領域２８内の先頭位置に表示した。従って、使用者にとってはセレクト領域２８内の先頭位置に目を向けるだけで使用頻度が最高の洗濯コースが何であるかを認識できる。また、使用頻度の多い洗濯コースに応じた洗濯コース名がセレクト領域２８内の先頭近傍に集まるため、コース変更の操作回数も極力減らすことができる。
【実施例２】
【００３２】
図３の洗濯スイッチ処理は洗濯スイッチ３２が操作された場合に起動するものであり、制御回路１８は洗濯スイッチ処理が起動した場合にはステップＳ１で今が平日であるか否かを判断する。この平日は月曜日から金曜日のうち国が定めた祝日を除く日を称するものであり、休日は土曜日と日曜日と国が定めた祝日を称する。
【００３３】
制御回路１８はステップＳ１で今が平日であると判断すると、ステップＳ２でＥＥＰＲＯＭの平日領域に洗濯コースの設定結果が記録されているか否かを判断する。この平日領域は制御回路１８が平日に洗濯コースの設定結果を開始した場合に当該洗濯コースの設定結果が記録される領域であり、平日領域の洗濯コースの設定結果を平日の使用履歴と称する。この平日の使用履歴は複数の運転コースの日別の運転履歴に相当する。
【００３４】
制御回路１８はステップＳ２で平日領域に洗濯コースの設定結果が記録されていると判断すると、ステップＳ３の表示順序設定処理１へ移行する。この表示順序設定処理１は５つの洗濯コース名のそれぞれに平日の使用履歴に応じて表示順序を設定するものであり、平日領域に最も数多く記録されている洗濯コースの設定結果に応じた１つの洗濯コース名に表示順序１が設定され、２番目に数多く記録されている洗濯コースの設定結果に応じた１つの洗濯コース名に表示順序２が設定され、３番目に数多く記録されている洗濯コースの設定結果に応じた１つの洗濯コース名に表示順序３が設定され、４番目に数多く記録されている洗濯コースの設定結果に応じた１つの洗濯コース名に表示順序４が設定され、最も数少なく記録されている洗濯コースの設定結果に応じた１つの洗濯コース名に表示順序５が設定され、平日領域に記録個数が相互に同一の２種類以上の洗濯コースの設定結果が記録されている場合には当該２種類以上の洗濯コースの設定結果に応じた洗濯コース名に対して初期の表示順序の順に表示順序が設定される。
【００３５】
制御回路１８はステップＳ２で平日領域に洗濯コースの設定結果が記録されていないと判断すると、ステップＳ６の表示順序設定処理３へ移行する。この表示順序設定処理３は５つの洗濯コース名のそれぞれに初期の表示順序を設定するものであり、洗濯コース名（標準）には表示順序１が設定され、洗濯コース名（スピーディ）には表示順序２が設定され、洗濯コース名（念入り）には表示順序３が設定され、洗濯コース名（ドライ）には表示順序４が設定され、洗濯コース名（毛布）には表示順序５が設定される。
【００３６】
制御回路１８はステップＳ１で今が休日であると判断すると、ステップＳ４でＥＥＰＲＯＭの休日領域に洗濯コースの設定結果が記録されているか否かを判断する。この休日領域は制御回路１８が休日に洗濯コースの設定結果を開始した場合に当該洗濯コースの設定結果が記録される領域であり、休日領域の洗濯コースの設定結果を休日の使用履歴と称する。この休日の使用履歴は複数の運転コースの日別の運転履歴に相当する。
【００３７】
制御回路１８はステップＳ４で休日領域に洗濯コースの設定結果が記録されていないと判断した場合にはステップＳ６の表示順序設定処理３で５つの洗濯コース名のそれぞれに初期の表示順序を設定し、ステップＳ４で休日領域に洗濯コースの設定結果が記録されていると判断した場合にはステップＳ５の表示順序設定処理２へ移行する。この表示順序設定処理２は５つの洗濯コース名のそれぞれに休日の使用履歴に応じて表示順序を設定するものであり、休日領域に最も数多く記録されている洗濯コースの設定結果に応じた１つの洗濯コース名に表示順序１が設定され、２番目に数多く記録されている洗濯コースの設定結果に応じた１つの洗濯コース名に表示順序２が設定され、３番目に数多く記録されている洗濯コースの設定結果に応じた１つの洗濯コース名に表示順序３が設定され、４番目に数多く記録されている洗濯コースの設定結果に応じた１つの洗濯コース名に表示順序４が設定され、最も数少なく記録されている洗濯コースの設定結果に応じた１つの洗濯コース名に表示順序５が設定され、休日領域に記録個数が相互に同一の２種類以上の洗濯コースの設定結果が記録されている場合には当該２種類以上の洗濯コースの設定結果に応じた洗濯コース名に対して初期の表示順序の順に表示順序が設定される。
【００３８】
制御回路１８はステップＳ３またはステップＳ５またはステップＳ６で５つの洗濯コース名に表示順序を設定すると、ステップＳ７で表示器２１のセレクト領域２８内に５つの洗濯コース名を表示する。これら５つの洗濯コース名のそれぞれは表示器２１のセレクト領域２８内に上から下へ表示順序の設定結果で縦１列に表示されるものであり、制御回路１８は表示順序１の洗濯コース名を先頭位置に表示すると共に枠の絵柄で囲う。
【００３９】
上記実施例２によれば次の効果を奏する。
表示器２１の５つの洗濯コース名そのものの表示態様を平日には平日の使用履歴に応じて変化させ、休日には休日の使用履歴に応じて変化させたので、表示器２１の５つの洗濯コース名が平日には５つの洗濯コースの平日の使用状況に応じた表示態様となり、休日には休日の使用状況に応じた表示態様となる。従って、使用者がコーススイッチ３０を操作することで表示器２１の５つの洗濯コース名のうちから１つを選択する操作が平日および休日の日別に簡単になる。
【００４０】
上記実施例２においては、平日に洗濯コースの設定結果が開始された場合にはＥＥＰＲＯＭの月曜日領域〜金曜日領域の５つのうち今に応じた１つに洗濯コースの設定結果を記録し、洗濯スイッチ３２が操作された場合には月曜日領域〜金曜日領域のうち今に応じた１つの領域内の洗濯コースの設定結果に応じて５つの洗濯コース名に使用頻度が高い順に表示順序１〜５を設定しても良い。即ち、学校で体育の授業がある曜日には洗濯コース（念入り）が設定される頻度が高く、洗濯コース名（念入り）に表示順序１が設定されることで洗濯コース名（念入り）がセレクト領域２８内の先頭位置に表示されるようになるので、使用者がコーススイッチ３０を操作することなく洗濯コース（念入り）を選択できるようになる。
【実施例３】
【００４１】
図４の洗濯スイッチ処理は制御回路１８が図３の洗濯スイッチ処理に換えて行うものであり、制御回路１８はステップＳ１１で今が午前であるか否かを判断する。この午前は０時００分００秒から１１時５９分５９秒までを称し、午後は１２時００分００秒から２３時５９分５９秒までを称するものであり、制御回路１８はステップＳ１１で今が午前であると判断した場合にはステップＳ１２でＥＥＰＲＯＭの午前領域に洗濯コースの設定結果が記録されているか否かを判断する。この午前領域は洗濯コースの設定結果が午前に開始された場合に当該洗濯コースの設定結果が記録されるものであり、午前領域の洗濯コースの設定結果を午前の使用履歴と称する。この午前の使用履歴は複数の運転コースの時間帯別の運転履歴に相当する。
【００４２】
制御回路１８はステップＳ１２で午前領域に洗濯コースの設定結果が記録されていると判断した場合にはステップＳ１３の表示順序設定処理１で表示順序を設定し、午前領域に洗濯コースの設定結果が記録されていないと判断した場合にはステップＳ１６の表示順序設定処理３で表示順序を設定する。
【００４３】
制御回路１８はステップＳ１１で今が午後であると判断すると、ステップＳ１４でＥＥＰＲＯＭの午後領域に洗濯コースの設定結果が記録されているか否かを判断する。この午後領域は洗濯コースの設定結果が午後に開始された場合に当該洗濯コースの設定結果が記録されるものであり、午後領域の洗濯コースの設定結果を午後の使用履歴と称する。この午後の使用履歴は複数の運転コースの時間帯別の運転履歴に相当する。
【００４４】
制御回路１８はステップＳ１４で午後領域に洗濯コースの設定結果が記録されていると判断した場合にはステップＳ１５の表示順序設定処理２で表示順序を設定し、午後領域に洗濯コースの設定結果が記録されていないと判断した場合にはステップＳ１６の表示順序設定処理３で表示順序を設定する。この表示順序設定処理３は５つの洗濯コース名のそれぞれにＲＯＭの初期の表示順序を設定するものである。
【００４５】
制御回路１８はステップＳ１３またはステップＳ１５またはステップＳ１６で表示順序を設定すると、ステップＳ１７へ移行する。ここで表示器２１のセレクト領域２８内に５つの洗濯コース名を上から下へ表示順序の設定結果に応じた順序で表示し、表示順序１の洗濯コース名を枠の絵柄で囲う。
【００４６】
表示順序設定処理１は５つの洗濯コース名のそれぞれに午前の使用履歴に応じて表示順序を設定するものであり、午前領域に最も数多く記録されている洗濯コースの設定結果に応じた１つの洗濯コース名に表示順序１が設定され、２番目に数多く記録されている洗濯コースの設定結果に応じた１つの洗濯コース名に表示順序２が設定され、３番目に数多く記録されている洗濯コースの設定結果に応じた１つの洗濯コース名に表示順序３が設定され、４番目に数多く記録されている洗濯コースの設定結果に応じた１つの洗濯コース名に表示順序４が設定され、最も数少なく記録されている洗濯コースの設定結果に応じた１つの洗濯コース名に表示順序５が設定され、午前領域に記録個数が相互に同一の２種類以上の洗濯コースの設定結果が記録されている場合には当該２種類以上の洗濯コースの設定結果に応じた洗濯コース名に対して初期の表示順序の順に表示順序が設定される。即ち、使用者が５つの洗濯コースのうちの１以上を午前に実行した場合には表示器２１のセレクト領域２８内に５つの洗濯コース名が午前の使用頻度の高さの順に上から下へ縦１列に表示され、最上段の洗濯コース名が枠の絵柄で囲われる。
【００４７】
表示順序設定処理２は５つの洗濯コース名のそれぞれに午後の使用履歴に応じて表示順序を設定するものであり、午後領域に最も数多く記録されている洗濯コースの設定結果に応じた１つの洗濯コース名に表示順序１が設定され、２番目に数多く記録されている洗濯コースの設定結果に応じた１つの洗濯コース名に表示順序２が設定され、３番目に数多く記録されている洗濯コースの設定結果に応じた１つの洗濯コース名に表示順序３が設定され、４番目に数多く記録されている洗濯コースの設定結果に応じた１つの洗濯コース名に表示順序４が設定され、最も数少なく記録されている洗濯コースの設定結果に応じた１つの洗濯コース名に表示順序５が設定され、午後領域に記録個数が相互に同一の２種類以上の洗濯コースの設定結果が記録されている場合には当該２種類以上の洗濯コースの設定結果に応じた洗濯コース名に対して初期の表示順序の順に表示順序が設定される。即ち、使用者が５つの洗濯コースのうちの１以上を午後に実行した場合には表示器２１のセレクト領域２８内に５つの洗濯コース名が午後の使用頻度の高さの順に上から下へ縦１列に表示され、最上段の洗濯コース名が枠の絵柄で囲われる。
【００４８】
上記実施例３によれば次の効果を奏する。
表示器２１の５つの洗濯コース名そのものの表示態様を午前には午前の使用履歴に応じて変化させ、午後には午後の使用履歴に応じて変化させたので、表示器２１の５つの洗濯コース名が午前には５つの洗濯コースの午前の使用状況に応じた表示態様となり、午後には午後の使用状況に応じた表示態様となる。例えば午後は日没が近いため、しわつきが多いが、脱水度合の高い洗濯コース（念入り）が使用されることが多いため、優先的に上位に表示されるといったことが可能になる。従って、使用者がコーススイッチ３０を操作することで表示器２１の５つの洗濯コース名のうちから１つを選択する操作が午前および午後の時間帯別に簡単になる。
【実施例４】
【００４９】
制御回路１８は予約スイッチ３３が操作されると、ＥＥＰＲＯＭに運転終了時刻の予約結果が記録されているか否かを判断する。この運転終了時刻の予約結果は運転終了時刻が予約されたことで洗濯コースが開始された予約運転の開始時にＥＥＰＲＯＭに記録されるものであり、制御回路１８はＥＥＰＲＯＭに運転終了時刻の予約結果が記録されていないと判断した場合には、図５に示すように、表示器２１に初期の運転終了時刻を表示する。この初期の運転終了時刻はＲＯＭに予め記録されたものであり、使用者が運転終了時刻を一度も予約していない場合には予約スイッチ３３が操作されることで表示器２１に初期の運転終了時刻が表示される。このＥＥＰＲＯＭの運転終了時刻の予約結果を予約履歴と称する。この予約履歴は予約運転の運転履歴に相当する。
【００５０】
制御回路１８はＥＥＰＲＯＭに運転終了時刻の予約結果が記録されていると判断すると、ＥＥＰＲＯＭの運転終了時刻の予約結果のうちから記録個数が最多数の１つを選択する。この制御回路１８はＥＥＰＲＯＭに記録個数が相互に同一の最多数で時刻が相互に異なる２以上の運転終了時刻の予約結果が記録されている場合には２以上の運転終了時刻のうちから最も早い１つを選択するものであり、ＥＥＰＲＯＭから１つの運転終了時刻の予約結果を選択した場合には表示器２１に運転終了時刻の選択結果を表示する。即ち、使用者が予約スイッチ３３を操作した場合には使用頻度が最も多い運転終了時刻が予約履歴から選択され、表示器２１に使用頻度が最も多い運転終了時刻が表示される。
【００５１】
上記実施例４によれば次の効果を奏する。
表示器２１の運転終了時刻をＥＥＰＲＯＭの予約履歴に応じて変化させることで表示器２１に使用頻度が最も多い運転終了時刻を表示した。従って、使用者がダイアル３４を操作することで表示器２１の運転終了時刻を変更する機会が少なくなるので、使い勝手が向上する。
【実施例５】
【００５２】
図６の予約スイッチ処理は予約スイッチ３３が操作された場合に起動するものであり、制御回路１８は予約スイッチ処理が起動した場合にはステップＳ２１で今が平日であるか否かを判断する。ここで今が平日であると判断した場合にはステップＳ２２へ移行し、ＥＥＰＲＯＭの平日領域に運転終了時刻の予約結果が記録されているか否かを判断する。この平日領域は運転終了時刻として平日の午前または午後が予約されたことで洗濯コースが開始された場合に当該運転終了時刻の予約結果が記録される領域であり、平日領域の運転終了時刻の予約結果を平日の予約履歴と称する。この平日の予約履歴は予約運転の日別の運転履歴に相当する。
【００５３】
制御回路１８はステップＳ２２で平日領域に運転終了時刻の予約結果が記録されていないと判断すると、ステップＳ２６でＲＯＭから初期の運転終了時刻を検出し、ステップＳ２７で表示器２１に初期の運転終了時刻を表示する。
【００５４】
制御回路１８はステップＳ２２で平日領域に運転終了時刻の予約結果が記録されていると判断すると、ステップＳ２３の運転終了時刻選択処理１で平日領域から運転終了時刻の予約結果のうち記録個数が最多数の１つを選択する。この制御回路１８は平日領域に記録個数が相互に同一の最多数で時刻が相互に異なる２以上の運転終了時刻の予約結果が記録されている場合には２以上の運転終了時刻のうちから最も早い１つを選択するものであり、ステップＳ２３で平日領域から１つの運転終了時刻の予約結果を選択した場合にはステップＳ２７で表示器２１に運転終了時刻の選択結果を表示する。
【００５５】
制御回路１８はステップＳ２１で今が休日であると判断すると、ステップＳ２４でＥＥＰＲＯＭの休日領域に運転終了時刻の予約結果が記録されているか否かを判断する。この休日領域は運転終了時刻として休日の午前または午後が予約されたことで洗濯コースが開始された場合に当該運転終了時刻の予約結果が記録される領域であり、休日領域の運転終了時刻の予約結果を休日の予約履歴と称する。この休日の予約履歴は予約運転の日別の運転履歴に相当する。
【００５６】
制御回路１８はステップＳ２４で休日領域に運転終了時刻の予約結果が記録されていないと判断すると、ステップＳ２６でＲＯＭから初期の運転終了時刻を検出し、ステップＳ２７で表示器２１に初期の運転終了時刻を表示する。
【００５７】
制御回路１８はステップＳ２４で休日領域に運転終了時刻の予約結果が記録されていると判断すると、ステップＳ２５の運転終了時刻選択処理２で休日領域から運転終了時刻の予約結果のうち記録個数が最多数の１つを選択する。この制御回路１８は休日領域に記録個数が相互に同一の最多数で時刻が相互に異なる２以上の運転終了時刻の予約結果が記録されている場合には２以上の運転終了時刻のうちから最も早い１つを選択するものであり、ステップＳ２５で休日領域から１つの運転終了時刻の予約結果を選択した場合にはステップＳ２７で表示器２１に運転終了時刻の選択結果を表示する。
【００５８】
上記実施例５によれば次の効果を奏する。
表示器２１の運転終了時刻を平日には平日の予約履歴に応じて変化させ、休日には休日の予約履歴に応じて変化させたので、表示器２１の運転終了時刻が平日には平日の使用頻度が最多の時刻となり、休日には休日の使用頻度が最多の時刻となる。従って、使用者がダイアル３４を操作することで表示器２１の運転終了時刻を変更する機会が少なくなるので、使い勝手が向上する。
【実施例６】
【００５９】
図７の予約スイッチ処理は制御回路１８が図６の予約スイッチ処理に換えて行うものであり、制御回路１８はステップＳ３１で今が午前であるか否かを判断する。ここで今が午前であると判断した場合にはステップＳ３２へ移行し、ＥＥＰＲＯＭの午前領域に運転終了時刻の予約結果が記録されているか否かを判断する。この午前領域は運転終了時刻として午前が予約されたことで洗濯コースが開始された場合に当該運転終了時刻の予約結果が記録されるものであり、午前領域の運転終了時刻の予約結果を午前の予約履歴と称する。この午前の予約履歴は予約運転の時間帯別の運転履歴に相当する
制御回路１８はステップＳ３２で午前領域に運転終了時刻の予約結果が記録されていないと判断すると、ステップＳ３６でＲＯＭから初期の運転終了時刻を検出し、ステップＳ３７で表示器２１に初期の運転終了時刻を表示する。
【００６０】
制御回路１８はステップＳ３２で午前領域に運転終了時刻の予約結果が記録されていると判断すると、ステップＳ３３の運転終了時刻選択処理１で午前領域から運転終了時刻の予約結果のうち記録個数が最多数の１つを選択する。この制御回路１８は午前領域に記録個数が相互に同一の最多数で時刻が相互に異なる２以上の運転終了時刻の予約結果が記録されている場合には２以上の運転終了時刻のうちから最も早い１つを選択するものであり、ステップＳ３２で午前領域から１つの運転終了時刻の予約結果を選択した場合にはステップＳ３７で表示器２１に運転終了時刻の選択結果を表示する。
【００６１】
制御回路１８はステップＳ３１で今が午後であると判断すると、ステップＳ３４でＥＥＰＲＯＭの午後領域に運転終了時刻の予約結果が記録されているか否かを判断する。この午後領域は運転終了時刻として午後が予約されたことで洗濯コースが開始された場合に当該運転終了時刻の予約結果が記録される領域であり、午後領域の運転終了時刻の予約結果を午後の予約履歴と称する。この午後の予約履歴は予約運転の時間帯別の運転履歴に相当する。
【００６２】
制御回路１８はステップＳ３４で午後領域に運転終了時刻の予約結果が記録されていないと判断すると、ステップＳ３６でＲＯＭから初期の運転終了時刻を検出し、ステップＳ３７で表示器２１に初期の運転終了時刻を表示する。
【００６３】
制御回路１８はステップＳ３４で午後領域に運転終了時刻の予約結果が記録されていると判断すると、ステップＳ３５の運転終了時刻選択処理２で午後領域から運転終了時刻の予約結果のうち記録個数が最多数の１つを選択する。この制御回路１８は午後領域に記録個数が相互に同一の最多数で時刻が相互に異なる２以上の運転終了時刻の予約結果が記録されている場合には２以上の運転終了時刻のうちから最も早い１つを選択するものであり、ステップＳ３５で午後領域から１つの運転終了時刻の予約結果を選択した場合にはステップＳ３７で表示器２１に運転終了時刻の選択結果を表示する。
【００６４】
上記実施例６によれば次の効果を奏する。
表示器２１の運転終了時刻を午前には午前の予約履歴に応じて変化させ、午後には午後の予約履歴に応じて変化させたので、表示器２１の運転終了時刻が午前には午前の使用頻度が最多の時刻となり、午後には午後の使用頻度が最多の時刻となる。従って、使用者がダイアル３４を操作することで表示器２１の運転終了時刻を変更する機会が少なくなるので、使い勝手が向上する。
【００６５】
上記実施例４〜６のそれぞれにおいては、使用者が平日および休日等の日別の予約履歴または午前および午後等の時間帯別の予約履歴を携帯端末に記録しておき、使用者が携帯端末から制御回路１８に送信することで入力する構成としても良い。
【００６６】
上記実施例１〜６のそれぞれにおいては、最上段の表示順序１の洗濯コース名を残りの洗濯コース名とは異なる色彩または書体または文字サイズ等の異なる態様で表示することで５つの洗濯コース名そのものの表示態様を変化させても良い。
【実施例７】
【００６７】
制御回路１８は、図８に示すように、表示器２１のセレクト領域２８内に５つの洗濯コース名を表示する場合に表示順序１の洗濯コース名と表示順序２の洗濯コース名と表示順序３の洗濯コース名のそれぞれを相互に同一の文字サイズで表示し、表示順序１の洗濯コース名の左側に数値（１）を表示し、表示順序２の洗濯コース名の左側に数値（２）を表示し、表示順序３の洗濯コース名の左側に数値（３）を表示する。これら数値（１）〜（３）のそれぞれは平日または休日または午前または午後の使用頻度の高さの順番を使用者に報知するものであり、表示順序４の洗濯コース名と表示順序５の洗濯コース名と表示順序６の洗濯コース名のそれぞれは表示順序１〜３の洗濯コース名に比べて小さな相互に同一の文字サイズで表示される。図８の（ａ）は５つの洗濯コース名が初期の表示順序で配列された状態であり、図８の（b）は５つの洗濯コース名が使用頻度に応じた表示順序で配列された状態である。
【００６８】
表示器２１の前面にはタッチパネルが装着されている。このタッチパネルは使用者が表示器２１の表示内容を透視可能な透光性を有するものであり、制御回路１８は使用者がタッチパネルを介して５つの洗濯コース名のいずれに手指を触れたかをタッチパネルからの出力信号に応じて判断し、表示順序１の洗濯コース名〜表示順序５の洗濯コース名のうち手指が触れられたと判断したものに応じた洗濯コースを設定する。このタッチパネルは操作子に相当する。
【００６９】
上記実施例７によれば次の効果を奏する。
使用者が洗濯コース名を指定するための操作子としてタッチパネルを用いた。従って、使用者が手指を好みの洗濯コース名にタッチパネルを介して触れるだけで洗濯コースが指定されるので、洗濯コースを指定するための操作が簡単になる。
【００７０】
５つの洗濯コース名のうち使用頻度が高い３つを残りの２つに比べて大きな文字サイズで表示した。従って、使用者の目線で使用頻度が高い洗濯コース名の視認性が高まるので、使用頻度が高い洗濯コース名を手指で触れるタッチ操作が容易になる。しかも、使用頻度が高い３つの洗濯コース名のそれぞれに数値を添付したので、文字サイズが相互に同一であっても使用者が数値から使用頻度の高さを容易に認識できる。
【００７１】
上記実施例７においては、使用頻度が最も高い１つの洗濯コース名のみを残りの洗濯コース名に比べて大きな文字サイズで表示しても良い。
上記実施例７においては、使用頻度が高い上から３つの洗濯コース名を残りの洗濯コース名とは異なる色彩または書体等の異なる態様で表示しても良い。
【００７２】
上記実施例７においては、５つの洗濯コース名を使用頻度と無関係な順序で上から下へ縦１列に並べても良い。この場合には使用頻度が高い３つの洗濯コース名を残りの洗濯コース名とは異なる文字サイズまたは色彩または書体等の異なる態様で表示し、使用頻度が高い３つの洗濯コース名のそれぞれに数値を添付することで使用頻度の高さを使用者に報知すると良い。
【００７３】
上記実施例１〜７のそれぞれにおいては、使用頻度が最高の洗濯コース名をセレクト領域２８内の先頭位置に表示し、残りの洗濯コース名を使用頻度とは無関係な順序で上から下へ並べても良い。
【００７４】
上記実施例１〜７のそれぞれにおいては、（Ｎ）の洗濯コース名のうち（２）以上で（Ｎ−２）以下の洗濯コース名を使用頻度が高いものから順に上から下に向けて並べ、残りの洗濯コース名を使用頻度とは無関係な順序で上から下へ並べても良い。
【００７５】
上記実施例１〜７のそれぞれにおいては、使用者が平日および休日等の日別の使用履歴または午前および午後等の時間帯別の使用履歴を携帯端末に記録しておき、使用者が携帯端末から制御回路１８に送信することで入力する構成としても良い。
【００７６】
上記実施例１〜７のそれぞれにおいては、予約スイッチ３３が操作された場合に表示器２１に運転開始時刻を表示し、ダイアル３４の操作量に応じて表示器２１の運転開始時刻を変更し、スタートスイッチ３１が操作された場合に洗濯コースまたは洗乾コースまたは乾燥コースの設定結果を表示器２１の運転開始時刻に開始しても良い。この場合には運転開始時刻が予約時刻に相当する。
【００７７】
上記実施例１〜７のそれぞれにおいては、洗濯コース名に換えて洗濯コースを使用者に示唆する符号または数値または模様等を表示器２１に表示しても良い。
上記実施例１〜７のそれぞれにおいては、５つの洗濯コース名を使用頻度が高い順に下から上または左から右または右から左へ一列に並べて表示しても良い。
【００７８】
上記実施例１〜７のそれぞれにおいては、本発明を複数の洗乾コース名または複数の乾燥コース名を表示器２１のセレクト領域２８内に表示する場合に適用しても良い。
上記実施例１〜７のそれぞれにおいては、本発明を縦形の洗濯機または２槽式の洗濯機に適用しても良い。
【００７９】
上記実施例１〜７のそれぞれにおいては、表示器２１としてＬＥＤ表示器を用いても良い。
以上に説明した洗濯機は上記実施例にのみ限定されるものでなく、要旨を逸脱しない範囲内で適宜変更して実施し得る。その他、本発明の複数の実施例を説明したが、これらの実施例は例として提示したものであり、発明の範囲を限定することは意図していない。これら新規な実施例はその他の様々な例で実施されることが可能であり、発明の要旨を逸脱しない範囲内で種々の省略、置き換え、変更を行うことができる。これら実施例や変形例は発明の範囲や要旨に含まれると共に特許請求の範囲に記載された発明とその均等の範囲に含まれる。
【符号の説明】
【００８０】
１８は制御回路（表示手段，運転手段）、２１は表示器、３０はコーススイッチ（操作子）、３４はダイアル（操作子）である。
【図１】
2014150999.tif 000003
【図２】
2014150999.tif 000004
【図３】
2014150999.tif 000005
【図４】
2014150999.tif 000006
【図５】
2014150999.tif 000007
【図６】
2014150999.tif 000008
【図７】
2014150999.tif 000009
【図８】
2014150999.tif 000010